(57)【要約】【課題】操作がし易い上に、素速いポインティング操作が可能であって、しかも、長時間使用しても、操作者の指先などに負担が掛らないようにしたポインティングデバイスとキーボードを備えた情報処理装置を提供する【解決手段】表示部２５０を備えた第２の筐体と、キーボード１５０を備えた第１の筐体を連結部３００を介して折りたたみ可能にした情報処理装置１において、前記キーボード１５０の上にビームセンサ４０１で構成されるタッチ領域４００を配置し、このタッチ領域４００とキーボード領域１５１の横幅を前記表示部２５０の表示領域２５１とほぼ同じにする。【選択図】  図１
2004185258.tif 000002
【特許請求の範囲】
【請求項１】
記憶装置と、処理装置と、表示部と、複数のキーからなるキーボードとを有する情報処理装置であって、前記キーボードの上にビームセンサを有し、前記ビームセンサはキーボード上に非可視ビームで形成されるタッチ領域を備えると共にこのタッチ領域に挿入される指などの指示部材により指示された位置を検出するポインティング処理部を備え、前記処理装置は前記ポインティング処理部により検出された位置に対応する表示を前記表示部の表示領域に行うことを特徴とする情報処理装置。
【請求項２】
前記タッチ領域上の座標と前記表示部の表示領域上の座標とは絶対座標により対応づけられることを特徴とする請求項１記載の情報処理装置。
【請求項３】
前記タッチ領域の横幅と前記表示部の横幅とがほぼ同等であることを特徴とする請求項１または２記載の情報処理装置。
【請求項４】
前記ビームセンサは、前記キーボードの手前側の左右両端に配置され、中央奥側へ向けてビームを発信し、かつタッチ領域の端辺に設けられた反射部材により反射されたビームを受信するビーム受発信部を備えることを特徴とする請求項１、２または３記載の情報処理装置。
【請求項５】
前記指示部材により前記タッチ領域の前記非可視ビームがさえぎられるタッチダウン操作が行われ、前記ポインティング処理部によりその位置が検出されると、前記処理装置は検出された位置に対応する前記表示領域上の位置にポインタを移動して表示することを特徴とする請求項１、２、３または４記載の情報処理装置。
【請求項６】
前記指示部材により前記タッチ領域の前記非可視ビームがさえぎられるタッチダウン操作が行われ、前記タッチダウン操作が行われてから所定時間内に前記指示部材を持ち上げて前記非可視ビームがさえぎられない状態に戻すリフトアップ操作が行われると、前記処理装置はこれをタップ操作として認識し、該タップ操作が、表示領域上のオブジェクトに対応する位置で行われた場合に前記処理装置は該オブジェクトが選択された状態であることを示す表示をすることを特徴とする請求項１、２、３または４記載の情報処理装置。
【発明の詳細な説明】
【０００１】
【発明の属する技術分野】
本発明は、ポインティングデバイスとキーボードを備えた情報処理装置に関し、特に、キーボードを備えた第１の筐体と、表示部を備えた第２の筐体と、前記第１と第２の筐体を折りたたみ可能に連結する連結部とを備えた情報処理装置に好適なものである。
【０００２】
【従来の技術】
情報機器においては、キーボードとマウスを併用する操作・入力方法が一般的である。この操作・入力方法は直感的であり、多くの人に慣れ親しまれているという利点がある一方で、次に述べる問題を持っている。
【０００３】
一つは、キー入力と、マウスによるポインティング操作を交互に行う際に、操作する手がキーボードとマウスの間を移動しなければならず、この移動のために作業時間の損失を招いていることである。また、わずかな時間ではあるが作業が中断されることによって、ユーザの作業能率の低下の原因にもなっている。これは、例えばテキストと図形が混在する書類を作成する際などに顕著に起こる問題である。
【０００４】
二つ目は、マウスを移動させるための領域を確保しなければならないということである。この領域は通常２００  ｍｍ×１５０  ｍｍ程度の平面であり、環境によっては確保することが難しい場合もある。
【０００５】
これらの問題を解決するために、表示部を備えた筐体とキーボードを備えた筐体を連結部を介して折りたたみ可能としたノート型とよばれる情報装置においては、キーボードの前部に形成したパームレストに小さなポインティングデバイス（トラックパットやトラックボール）を設けたものが普及している。更に、前記表示部にタッチパネルを設け、前記キーボードと前記タッチパネルとで入力操作可能としたものや、透明タッチパネルを前記連結部に対して回転可能に取り付けることにより、前記表示部の前面では通常のタッチパネルとして、キーボード上ではタブレットとして使用できるものが提案されている。
【公知文献】
前記従来例としては、例えば、特開平１１−７３２７７号、特開２０００−１１２５６７号、特開２００１−２９０５８４号、特開２００１−２４２９５６号などがある。
【０００６】
【発明が解決しようとする課題】
しかしながら、上記のトラックボールやトラックパッドは、ポインタを長い距離にわたって移動させるためには、これらに何度も繰り返し指先を擦ることが必要であり、素速い操作をすることができないし、長期間このような操作を行なっているうちに指が疲れてしまう、といったような問題がある。
【０００７】
また、トラックポイントは、スティックを操作することによってポインティング操作を行なうものであって、このスティックを傾ける方向と力の大きさでポインタの移動方向、移動距離を制御するものであるため、直感的な操作ができず、また、長時間使用すると、指先でスティックに圧力を加えていることから、指先が痛くなる、といった問題があった。
【０００８】
更に、表示部にタッチパネルを配置したものは、指をキーボードとタッチパネルの間を相互に移動させなければならず、また、表示画面に指紋が残ったり、あるいは、表示部の角度を指で動かしてしまう課題を備えている。
【０００９】
更に、回転式のタッチパネルでは、前記表示部にタッチパネルを備えたものと同様な課題があるとともに、キーボードの上部の位置ではキー入力ができない課題がある。
【００１０】
本発明の目的はかかる問題を解消し、操作がし易い上に、素速いポインティング操作が可能であって、しかも、長時間使用しても、操作者の指先などに負担が掛らないようにしたポインティングデバイスとキーボードを備えた情報処理装置を提供することにある。
【００１１】
【課題を解決するための手段】
本発明は、前記課題を解決するために、複数のキーからなるキーボードの上にビームセンサを重ねた構造を備えている。前記ビームセンサは、キーボード上に赤外線やレーザなどの非可視のビームで形成されるタッチ領域を備え、このタッチ領域に挿入される指などの位置を検知することができる。このビームセンサは、赤外線やレーザなどの非可視のビームを発信する発信部と、ビームを受信する受信部と、前記発信部から発信されたビームが受信部で検知されるまでの距離、時間、方向などからキーボード上に挿入される指などの位置を算出するポインテング処理部とを含んで構成される。また、前記ビームセンサは、発信部から発信されたビームを反射する反射部を備え、この反射されたビームを前記受信部で検知する構造でもよい。
【００１２】
この発明によれば、キーボード領域とほぼ同等の大きさを備えたタッチ領域を前記キーボード領域上に確保することができる。したがって、使用者は、前記タッチ領域に指を挿入させ、挿入した指をタッチ領域上で移動させることで、マウスを操作するように前記ポインタを移動させることができる。しかも、前記タッチ領域を介して、その下方に配置されるキーボードの各キーを押すことにより、通常のキーボードによる入力操作を行なうことができる。このように、この発明によれば、タッチ領域とキーボード領域を上下に配置することにより、操作がし易い上に、素速いポインティング操作が可能であって、しかも、長時間使用しても、操作者の指先などに負担が掛らないようにしたポインティングとキーボードの操作が可能である。
【００１３】
また、タッチ領域とキーボード領域を上下に配置した入力装置は、表示部を備えた第１の筐体と、キーボードを備えた第２の筐体を連結部を介して折りたたみ可能にした情報処理装置に適用すると良好である。この情報処理装置においては、前記キーボードの上に前記タッチ領域を配置し、このタッチ領域とキーボード領域と横幅がほぼ同じ表示部を配置するようにする。これにより、タッチ領域と表示部の表示領域がほぼ同等とすることができるので、表示部におけるポインタの位置及び移動距離と、タッチ領域における指などの位置及び移動距離がほぼ１対１に対応付けられた良好な操作感覚が得られる。
【００１４】
また、キーボードが他の表示装置や情報処理装置と分離したものであっても、複数のキーが配置されるキーボード領域をタッチ領域として兼用できるのでタッチ領域の広い面積の確保が可能となるので、タッチ領域を前記表示装置に表示される表示画面と同等または表示画面の大きさに近づけることができるのでポインタの位置及び移動距離と、指などの位置及び移動距離が１対１に対応付けられた良好な操作感覚が得られる。
【００１５】
【発明の実施の形態】
以下、本発明の実施の形態を図１から図２０を参照して詳細に説明する。図１から図１２が本発明に係る第１の実施の形態に係るノートタイプの情報処理装置である。また、図１３から図１９は、第２の実施の形態に係るデスクトップタイプの情報処理装置（キーボード分離タイプ）である。また、図２０は第３の実施の形態に係るポインティングデバイス付きキーボードである。
（第１の実施の形態）
先ず、図１を参照して、この実施の形態に係る情報処理装置の概略構造を説明する。図１はこの実施の形態に係る情報処理装置の外観図であり、（ａ）図が開放状態の斜視図、（ｂ）図が入力状態の使用状態図である。
【００１６】
図１において、符号１で総括的に示すのは、ノートタイプの情報処理装置である。情報処理装置１は、キーボード１５０を備えた薄型の第１の筐体１００と、表示部２５０を備えた薄型の第２の筐体２００と、前記第１の筐体１００と前記第２の筐体２００とを折りたたみ可能に連結する連結部３００とから構成される。前記第１の筐体１００と第２の筐体２００は、前記第２の筐体２００を前記連結部３００を介して折りたたんだ状態で、互いの筐体により隠蔽される第１の隠蔽面１０１と第２の隠蔽面２０１をそれぞれ備えている。前記キーボード１５０は前記第１の隠蔽面１０１に配置され、前記表示部２５０は第２の隠蔽面２０１に配置されている。
【００１７】
前記第１の筐体１００は、その筐体内部に、この情報処理装置１を統括的に制御する処理装置（ＣＰＵ）や記憶装置などを備えている。この前記第１の筐体１００の前記第１の隠蔽面１０１の後方には、ほぼ横長矩形状の前記キーボード１５０が配置され、その前部には平坦面で構成されるパームレスト１０２が形成されている。また、このパームレストの中央の前記キーボード側には一対のクリックボタン１０３が配置されている。
【００１８】
そして、この実施の形態の大きな特徴は、前記第１の隠蔽面１０１にほぼ横長矩形状の開口部１０４を形成し、この開口部１０４の表面側に赤外線で形成されるタッチ領域４００を備え、このタッチ領域４００の下層に前記キーボード１５０からなるキーボード領域１５１を備えた点にある。
【００１９】
即ち、この実施の形態では、前記開口部１０４の周囲の枠体１０５にビームセンサ４０１を設けて前記タッチ領域４００を形成する。このビームセンサ４０１は、公知の赤外線タッチパネル装置のどのような方式でも可能であるが、この実施の形態では、コンパクト化と精度を高めやすい三角測量の原理でタッチした位置を検知する赤外線タッチパネル装置で構成する。
【００２０】
このビームセンサ４０１は、図２、図３に示すように、赤外線を発信するＬＥＤ光源などからなる発信部４０２と赤外線を受信するイメージセンサ等の受光素子からなる受信部４０３とを一体化した受発信部４０４と、発信部４０２から発信された赤外線を入射光と同じ方向に反射する反射板４０５と、前記発信部４０２から発信された赤外線が指などによって遮られた方向を前記受信部４０３で検知して、三角測量の原理でタッチ領域４００に挿入された指などの位置を算出するポインテング処理部４０６とを含んで構成される。ここで、受発信部４０４は、図示しないが、結像レンズの前にハーフミラー又はトンネルミラーを付加して発信部４０２の光軸が受信部４０３の光軸と一致するようにそれぞれを配置した構成となっているものを採用する。なお、ここでは指を使ってビームをさえぎる例を説明するが、指以外の指示手段で行うことももちろん可能である。
【００２１】
図１に戻り、この実施の形態では、ほぼ矩形状の前記開口部１０４の手前側辺１０５ａの両側に一対の前記受発信部４０４を備え、この受発信部４０４から放射状に赤外線を発信し、前記開口部１０４の他の両辺１０５ｂおよび対向辺１０５ｃに設けた前記反射部４０５で反射された赤外線を前記受発信部４０４で受信する。ここで、前記反射部４０５は入射光に対して同じ方向に反射する機能（再帰反射部材）を備えている。したがって、前記ポインテング処理部４０６は、指などで反射されない影の方向を２箇所の前記受発信部４０４で検知した結果から指などの位置を三角測量の原理を用いて演算処理することにより、前記タッチ領域４００に挿入される指などの位置を検知することができる。
【００２２】
一方、キーボード１５０は、前記タッチ領域４００に触れない位置、即ち、キーボード１５０の各キートップが前記第１の隠蔽面１０１より１段低い位置となるように配置している。この実施の形態では、キーボード１５０の各キートップの面が平坦となるように構成し、このキーボード１５０のキートップ面で構成されるキーボード領域１５１と前記タッチ領域４００の面との間が１ｍｍ以下となるように設定する。
【００２３】
このように、この実施の形態に係る情報処理装置１によれば、図１（ｂ）に示すように、前記パームレスト１０２に両手首部分を置いて、極一般的なノート型の情報処理装置と同様な操作でキーボード１５０（キーボード領域１５１）を使って文字や数値などを入力することができるとともに、このキーボード領域１５１の上部に重ねて形成され、このキーボード領域１５１とほぼ同等な大きさを備えたタッチ領域４００を使ってポインテイング操作を行なうことができる。
【００２４】
したがって、使用者は、前記タッチ領域４００に指を挿入させ、挿入した指をタッチ領域４００上で移動させることで、マウスを操作するように表示画面上のポインタを移動させることができる。このタッチ状態で、表示画面上の所定機能を選択する場合は、前記クリックボタン１０３を操作したり、後で説明するタップ操作を行うことで選択することができる。また、このタッチ状態から、前記タッチ領域４００の下方に配置されるキーボード１５０の各キーを押すことにより、通常のキーボード１５０による入力操作を行なうことができる。
【００２５】
また、この実施の形態によれば、タッチ領域４００とキーボード領域１５１を上下に配置することにより、パームレスト１０２から両手を離すことなくポインテイング操作と文字などの入力操作を行なうことができるから、操作がし易い上に、素速いポインティング操作が可能であって、しかも、長時間使用しても、操作者の指先などに負担が掛らないようにしたポインティングとキーボードの操作が可能である。
【００２６】
加えて、このタッチ領域４００をキーボード領域１５１とほぼ同等の大きさまたは、キーボード領域１５１より大きくすることができるので、このタッチ領域４００の少なくとも横幅Ｗ３を表示部２５０の横幅Ｗ１とほぼ同等な大きさに設定することができる。これにより、表示領域におけるポインタの位置や移動距離と、タッチ領域における指などの位置や移動距離とをほぼ１対１に対応付けることができるので良好な操作感覚を得ることができる。
【００２７】
また、この実施の形態では、ポインティング位置の指定に絶対座標を用いている。即ち、タッチ領域４００のある座標を指示すると、それに対応する表示領域上の座標が一義的に決まる。このため、ポインタの移動が連続的である必要がなく、両手を使った操作に適している。特に、キーボードは本来両手で操作するものであることから、この両手操作を前提としたキーボード領域１５１上に設けられるタッチ領域４００を用いて自然な操作でポインティング操作を行なうことができる。
【００２８】
以下、図１から図１２を参照して、この実施の形態に係る情報処理装置１を更に詳細に説明する。
【００２９】
先ず、図２を参照して、この情報処理装置１の装置構成を説明する。図２は情報処理装置１の装置ブロック図である。図２において、この実施の形態では、この情報処理装置１は、ポインティング操作を行う前記ビームセンサ４０１と、表示画面に表示されるポインタに関する確定情報を出力する前記クリックボタン１０３と、各種の画像を表示する前記表示部２５０と、複数のキーからなる前記キーボード１５０と、ハードデイスクなどから構成される記憶装置１０６と、外部機器との接続を可能にする外部Ｉ／Ｆ（インターフェイス）１０７と、電源部１０８などがバスを介してこの情報処理装置１を統括的に制御する処理装置（以下ＣＰＵ１０９という）に接続される。
【００３０】
また、前記ビームセンサ４０１は、前記ポインテング処理部４０６と、このポインテイング処理部４０６に接続される受信部４０３と発信部４０２とから構成される。前記ポインテング処理部４０６は、前記受信部４０３と発信部４０２とから構成される受発信部４０４を制御するとともに、この受発信部４０４からの信号に基づいて、タッチ領域４００内の指などの位置を算出するとともに、タッチ領域４００にタッチされる時間を監視し、所定時間より短いタッチであれば、前記クリックボタン１０３と同じ信号を発信する。したがって、この実施の形態では、前記タッチ領域４００の所定位置を、例えば、短時間タッチすることで、クリックボタン１０３の操作と同様な操作指示をすることができる。
【００３１】
次に、図３から図５を参照して、この実施の形態に係るビームセンサ４０１の具体的な構造を更に詳細に説明する。図３から図５は、情報処理装置の概略断面図であり、（ａ）図が第２の筐体２００を開いた状態の中央縦断面図、（ｂ）図は第１の隠蔽面１０１の配置構成を示す平面図である。ここで、図３は、この実施の形態に係る情報処理装置１の説明図であり、図４、図５はビームセンサ４０１の他の配置構造を示す応用例である。
【００３２】
先ず、図３において、この実施の形態では、前記第１の筐体１００を、上部を構成する図示しない上ケースと、下部を構成する図示しない下ケースとで構成する。そして、この上下ケースで覆われる装置筐体内に前記ＣＰＵ１０９を構成するメイン基板や記憶装置１０６などの内部装置群１１０を配置する。また、前記上ケースの上部は、前記第２の筐体２００で覆われる第１の隠蔽面１０１が構成される。この第１の隠蔽面１０１は全体がほぼフラットな平滑面で構成され、この後方に、前記キーボード１５０を収納する矩形状の開口部１０４が形成される。この開口部１０４は、その横幅Ｗ４が第１の隠蔽面１０１の横幅Ｗ一杯に形成され、前後の奥行Ｄ４は第１の隠蔽面１０１の奥行Ｄの約１／２の大きさを備えている。また、前記第１の隠蔽面１０１の前部は、平滑な平面を利用して、前記パームレスト１０２が形成される。
【００３３】
前記開口部１０４には複数のキーが特定の規則にしたがって配列された前記キーボード１５０が配置される。前記キーボード１５０は、前記内部装置群１１０の上方に配置されるとともに、各キーのトップ面で構成されるキーボード領域１５１が、前記第１の隠蔽面１０１の表面より１段低くなるように配置される。そして、前記キーボード領域１５１と前記第１隠蔽面１０１との間となる前記開口部１０４の周囲にビームセンサ４０１を配置している。
【００３４】
この実施の形態では、図３に示すように、前記内部装置群１１０と前記パームレスト１０２の間に薄型の前記受発信部４０４と、ポインテイング処理部４０６の薄型のポインティング制御基板４０７を配置する。そして、前記受発信部４０４の発信窓４０４ａを前記キーボード領域１５１と前記第１の隠蔽面１０１との間となる前記開口部１０４の周囲に配置する。例えば、図３（ｂ）図に示すように、この実施の形態では、前記ポインティング制御基板４０７を横矩形状に形成し、このポインティング制御基板４０７の長手方向の両側に前記受発信部４０４を取り付けて、更に中央には前記クリックボタン１０３を取り付けて、１つのセンサユニットとして形成する。したがって、この実施の形態では、前記上ケースの内面に前記センサユニットを取り付けることで、前記開口部１０４の手前側辺１０５ａの１辺の両側に前記発信窓４０４ａが位置決めるされるので、組み立て性を向上することができる。また、パームレスト１０２の下部は、無効空間があるので、パームレスト１０２を傾斜面にすることで、前記無効空間を少なくしてパームレスト１０２の取扱性を向上させている。
【００３５】
また、前記開口部１０４の対向辺１０５ｃと、前記対向辺１０５ｃには前記反射板４０５が取り付けられる。この構成によれば、図３の（ａ）図に示すように、前記キーボード領域１５１の上層にタッチ領域４００が形成される。ここで、前記キーボード領域１５１は、キーボード１５０の各キーを操作する関係から、前記タッチ領域４００の内側、または、タッチ領域４００と同等の大きさを備えるように設定する。即ち、図１に示すように、キーボード領域１５１の横幅Ｗ２はタッチ領域４００の横幅Ｗ３と同じ長さか小さくなる。
【００３６】
この実施の形態によれば、図３（ｂ）図に示すように、指示体となる指がタッチ領域４００に挿入されていないときは、受発信部４０４から発信された赤外線は、タッチ領域４００上を通過して、前記反射板（再帰反射部材）４０５に反射して、入射した赤外線の逆の光路を通って前記受発信部４０４に戻ってくる。これにより、ポインテイング処理部４０６はタッチ領域４００がタッチされていないと判定する。
【００３７】
一方、前記タッチ領域４００に指などがＰ１の位置に挿入されると、赤外線の光路の一部が遮られて、受発信部４０４に赤外線が帰らなくなる。この影４０８の部分の方向を検出することで、赤外線を遮った指などのある方向を検出することができる。前記受発信部４０４は前記手前側辺１０５ａの両側に配置されるので、この２つの受発信部４０４で検出されるＰ１の方向から三角測量の原理により前記Ｐ１の指示位置座標を算出できる。
【００３８】
ここで、前記反射板４０５は、そこに入射した光が入射した方向へまっすぐに戻ってくるような反射特性を有する公知の再帰反射部材を採用する。一般的な再帰反射部材は、小さな透明ガラスビーズを多数埋め込んだ再帰反射シートや、小さなコーナキューブプリズムあるいは反射率の高い白色部材などが使用可能である。
【００３９】
図４、図５は、前記ポインテイング処理部４０６と受発信部４０４の他の配置構造の応用例である。図４に示す実施の形態では、ポインテイング処理部４０６のポインティング制御基板４０７と受発信部４０４とを分離させて、前記ポインティング制御基板４０７の両側に前記受発信部４０４とを配置する。この構造によれば、前記ポインティング制御基板４０７と受発信部４０４が分離される構造であるため、メンテナンス性を向上することができる。
【００４０】
図５に示す実施の形態は、パームレスト１０２と前記内部装置群１１０との間に、前記ポインティング制御基板４０７と受発信部４０４とクリックボタン１０３とを略均等に配置したものである。例えば、この実施の形態では、横長矩形状の前記ポインティング制御基板４０７をパームレスト１０２の前側に配置し、このポインティング制御基板４０７の両側後方に前記受発信部４０４を配置し、前記受発信部４０４の間にクリックボタン１０３を配置する。この実施の形態によれば、前記パームレスト１０２と前記内部装置群１１０の間の隙間に、各装置をゆとりを持って配置することができるので、前記各装置の大きさ変更に即応させることができる。
【００４１】
次に、図１及び図６から図１３を参照して、この実施の形態に係る情報処理装置１の操作方法を説明する。図６は、操作卓でこの情報処理装置１を操作する操作姿勢を示す使用状態図である。図７は操作入力を行う使用状態図で、（ａ）図がタッチ領域４００での操作動作を示す説明図、（ｂ）図はキーボード領域１５１での操作姿勢を示す説明図である。図８はタッチ領域４００でのタップ操作の動作フロー図である。図９は、クリックボタン１０３を操作した際の動作フロー図である。図１０はキーボード領域１５１でのポインタの表示の動作フロー図である。図１１は両手操作によるドラッグ・アンド・ドロップの操作説明図である。図１２は両手操作における協調作業を説明する動作説明図である。
【００４２】
先ず、図１において、この実施の形態は、２つの筐体１００、２００を連結部３００を介して折りたたみ可能とする携帯性に優れた情報処理装置１である。この情報処理装置の使用に当たっては、図１に示すように、前記第２の筐体２００を開放して、前記２つの隠蔽面１０１、２０１を露出し、この隠蔽面に配置される表示部２５０とキーボード１５０を操作することができる。操作に当たっては、図示しない電源スイッチを操作すると、前記ＣＰＵ１０９が記憶装置１０６に格納したＯＳを動作させて、ウインドウシステムを起動させ、前記表示部２５０にウインドウシステムの図示しないメニュー表示画面を表示する。このメニュー表示画面が表示されると、ポインタが前回電源ＯＦＦ時の位置で表示される。
【００４３】
この情報処理装置１においては、前記パームレスト１０２に両手の手首近傍を置いて、前記キーボード領域１５１とタッチ領域４００とクリックボタン１０３を、両手の手首近傍を前記パームレスト１０２から離すことなく操作することができる。
【００４４】
また、図１に示すように、この実施の形態に係る情報処理装置１は、タッチ領域４００の横幅Ｗ３を前記表示部の横幅Ｗ１とほぼ同等の大きさに設定し、タッチ領域４００の奥行Ｄ３は、前記パームレスト１０２を使用して手の届く範囲の大きさに設定している。タッチ領域４００と表示部２５０で表示可能な表示領域２５１の整合性を考えた場合、前記タッチ領域４００の横幅Ｗ３と奥行Ｄ３を前記表示部２５０の横幅Ｗ１と高さＤ３に合わせることで、タッチ領域４００の大きさと表示領域２５１の大きさを１対１に対応させて、タッチ領域４００でのタッチ位置とポインタの表示位置を合わせることができる。
【００４５】
しかし、一般に、この種のノート型の情報処理装置は、図６に示すように、操作卓にこの情報処理装置を設置して使用する。この際、使用者は、キーボード１５０を斜め前方から目視して操作し、表示部２５０は、前記結合部３００を操作して、第２の筐体２００の角度を調整して表示部２５０の表示面が目線と直交するように設定して使用する。したがって、高さが目視できる垂直姿勢の表示領域２５１と、奥行が認識しづらい水平姿勢のタッチ領域４００とを目で認識させようとすると、タッチ領域４００の奥行Ｄ３を表示領域２５１の高さＤ１より大きくしなければならない。このような奥行Ｄ３が大きいタッチ領域４００は、操作する手を大きく動かさなければならず、逆に操作性が悪くなることになる。そこで、この実施の形態では、タッチ領域４００の奥行Ｄ３の長さを、パームレスト１０２に手首近傍を置いた姿勢で無理なく手が届く大きさに設定している。
【００４６】
一方、タッチ領域４００と表示領域２５１の横方向の長さＷ３、Ｗ１は、図６の使用状態では、操作姿勢に影響されることなく使用者にはっきり認識される。このため、この実施の形態では、タッチ領域４００と表示領域２５１の横方向の長さＷ３、Ｗ１をほぼ一致させることで、目視によるポインタとタッチ位置を１対１で確認しながら操作を行うことができる。更に、この実施の形態では、前記表示領域４００とタッチ領域２５１（キーボード領域１５１）が同じ幅で固定されているので、ブラインドタッチが苦手な操作者でも、表示領域２５１を基準にタッチ領域２５１とキーボード領域１５１での指などの位置が簡単に把握できるので、操作性を向上することができる。
【００４７】
つまり、従来のマウスをはじめキーボードとともに使用されるポインティングデバイスの多くは、入力する移動量を相対量として扱っているため、使用者は常に画面上のポインタの位置を探し出し、それからポインタを動かす動作に入る必要がある。これに対し、この実施の形態ではタッチ領域４００上の座標位置に対応する表示領域２５１上の座標位置が一義的に決められており、絶対座標を用いてポインタの移動を行うことができる。このため、使用者がタッチ領域４００上の座標と表示領域２５１上の座標の関係を把握しやすく、表示領域２５１上のオブジェクトをタッチ領域４００上でダイレクトに選択することができ、操作時間を短縮することができる。
【００４８】
特に、キーボード入力において、初心者はキーボードを見ながら入力しなければならないが、慣れるとキーボードを見ずに文字を打ち込む「ブラインドタッチ」が可能になる。これと同様に、この実施の形態では、キーボード領域１５１と同等なタッチ領域４００が表示領域２５１に絶対座標で対応付けられているので、ポインティング操作もキーボード入力と同様に慣れやすく、タッチ領域４００を見ずに表示領域４００上でのブラインドポインテング操作が可能になる。
【００４９】
表示画面とキーボードの大きさの関係上、表示領域２５１とタッチ領域４００の大きさを同等にすることが困難な場合においても、絶対座標を採用することにより、タッチ領域４００上の座標と表示領域２５１上の座標との対応関係を把握しやすく、使い慣れればブラインドポインティング操作も可能になる。この場合、両領域を相似形にすると座標の対応関係が直感的に把握しやすい効果がある。また、タッチ領域４００を両手を使用した時の指の可動域となる横長の形状とすれば、両手を使って操作する場合の作業効率を向上することができる。
【００５０】
次に、図７を参照して、この実施の形態の基本操作を説明する。
（ポインタの表示）
先ず、図７の（ａ）図において、ａ１は操作しない状態を示し、この場合には、赤外線は指先で遮断されていない。ａ２はタッチ領域４００でのタッチ操作の状態を示すものであって、タッチ領域４００に指先が触れて赤外線を遮断した状態を示している。この状態を「タッチダウン」と仮に呼ぶ。このタッチダウンの状態ではキーボード領域１５１のキーを押していない。前記ビームセンサ４０１は、前記タッチダウンで赤外線が遮断されると、そのタッチダウンされた位置を算出して前記ＣＰＵ１０９に位置信号を出力し、このＣＰＵ１０９は前記表示領域２５１の対応する位置にポインタを移動させる。このタッチダウンの状態で、指先を移動させると、この移動はビームセンサで監視されているので、この信号を受けたＣＰＵは表示領域に表示されるポインタを前記指先の移動にともなって移動させる。この指先とポインタの移動量は、横方向Ｗ１、Ｗ３は１対１の同じ移動量とし、タッチ領域４００の縦方向（奥行Ｄ３）と表示領域の縦方向（高さＤ１）は両者の比率でその移動量が決定される。
【００５１】
このタッチダウンの状態から指先を持ち上げてａ３の状態（ａ１と同じ状態）とする。この状態を「リフトオフ」と仮に呼ぶ。このリフトオフにより、タッチ領域での赤外線が遮断されなくなるので、この信号を受けたＣＰＵ１０９は表示されたポインタを表示領域２５１のリフトオフされて位置にそのまま表示する。
【００５２】
なお、この実施の形態では、リフトオフされた位置にポインタを表示するようにしたが、設定により、予め設定されたホームポジションに移動させるようにしても良いし、非表示にしても良い。ここで、ホームポジションを表示領域２５１外に設定すれば、非表示されたと同様になる。
（タップ操作）
ビームセンサは、タッチダウンを検知すると、タイマーを起動させて所定時間、例えば０．５秒以内にリフトオフが行われるかを監視し、前記所定時間以内にリフトオフがなされるとクリックボタンが操作されたと同じ信号をＣＰＵ１０９に出力する。このタッチダウンからリフトオフが所定時間内に行われる操作を「タップ」と仮に呼ぶ。このタップは、マウスのクリックボタンを選択する操作と同様な機能を有する。したがって、例えば、表示領域２５１の所定の位置に表示されるオブジェクト（例えば選択ボタン）を選択する場合に、このオブジェクト（例えば選択ボタン）の所定の位置で前記タップが行われると、この所定の位置で選択が行われたとＣＰＵ１０９に出力する。ＣＰＵ１０９は前記表示領域２５１の画面データと前記ビームセンサ４０１からの出力信号から、前記オブジェクト（例えば選択ボタン）が選択されたと判定し、この判定にともなった表示変化や動作を実行する。なお、この実施の形態では、前記クリックボタン１０３の操作でも前記タップを行ったと同様な操作を行うことができる。
【００５３】
また、この実施の形態では、前記タップ操作が同じオブジェクトで連続的に行われると、マウスの操作でダブルクリックしたと同様な操作、例えば、実行操作が行われたと判定する。
（ドラッグ操作）
この実施の形態では、マウスの操作でクリックボタンを押したまま動かす「ドラッグ」操作を行うことができる。このドラッグはフアイルの移動やウインドウの拡大縮小及び移動などに使われるものである。この実施の形態では、オブジェクト（例えば選択ボタン）を一度タップして選択しておいてから、再びそのオブジェクトにタッチダウンし、一定時間内にリフトオフしない場合に開始されるものとする。（一定時間内にリフトオフした場合はダブルクリックもしくは再びタップしたとみなされる）
（ドロップ操作）
この実施の形態では、ドラッグ中のオブジェクトをある位置で再びタップすることにより、移動中のオブジェクトをタップされた位置に開放する「ドロップ」の操作がなされたと判定する。したがって、この実施の形態では、表示領域２５１で表示されるオブジェクトに対してタップを行い、このオブジェクトに対して再びタッチダウンして、このタッチダウンした状態で移動させ、この移動先で再びタップすることで「ドラッグ・アンド・ドロップ」を実行することができる。なお、移動先でタップをしないでリフトオフすると、ドラッグ中のオブジェクトはリフトオフの位置で保持される。しかし、この状態ではタップされていないので、選択状態を維持していることになる。したがって、再び、この選択状態のオブジェクトにタッチダウンするとドラッグすることができる。
（キー入力操作）
次に、図７（ｂ）図において、この実施の形態では、キーボード領域１５１での操作を行う際には、必ず、タッチ領域４００で指示されるポインタの表示が成されることになる。例えば、タッチ領域４００での前記基本操作のみを提供すると、ｂ１の操作しない状態から、キー入力を行ったｂ２の状態では、タッチダウンがなされるので、このタッチダウンされた位置にポインタを表示し、更に、キー入力を受付けたあと、ｂ３の状態になるとリフトオフがなされて前記ポインタがその位置に残って表示される。また、キー入力を連続的に行うとタップを行ったと同様な状態となる。したがって、タッチ領域４００での前記基本操作のみを適用すると、キー入力の際に、キーを押すごとにそれに対応したタッチ領域４００の位置をタップしたとみなされてしまうので、入力位置が四方に移動し、通常のキー入力を行うことが不可能になる。
【００５４】
そこで、この実施の形態では、タップの判定の際に、タッチダウンとリフトオフの間にキーボード領域のキーが押下された場合にはそれをタップとはみなさないと判定する。これにより、キー入力の際には入力位置は変わらないので、普通に入力することができる。また、キー入力時にポインタが四方に移動することが目障りになるため、キー入力後に所定の時間、例えば、１秒間はポインタを非表示とする。これにより、連続してキー入力を行っている間はポインタが表示されず、キー入力が終わると再び現れることになる。
【００５５】
次に、図８から図１０を参照して、前記基本操作の動作フローを更に詳細に説明する。図８において、ビームセンサ４０１は、電源がＯＮ状態となっていると、常に前記タッチダウンがなされたか否かを監視する（ステップ５１０）。この状態では、ポインタは前回のリフトオフの位置に表示されている。
【００５６】
前記タッチ領域４００に指などがタッチダウンされると、前記ビームセンサ４０１はタイマを動作させて、リフトオフまでの時間をカウントする（ステップ５２０）。そして、タッチダウンの状態から、リフトオフがなされると、タイマを停止し（ステップ５６０）、タッチダウンからリフトオフまでの経過時間（Ｔ１）が予め設定された所定時間（Ｃ１）より小さいか否かを判定し（ステップ５８０）、経過時間（Ｔ１）が所定時間（Ｃ１）より小さい場合はタップが成されたと判定して、該当する座標でクリックイベント（クリックボタン１０３が操作された動作）を発生させ、経過時間（Ｔ１）が所定時間（Ｃ１）より大きい場合は、リフトオフされた位置にポインタを表示させて、前記ステップ６１０に移行する。
【００５７】
一方、タッチダウンの状態からリフトオフされるまでの間にタッチダウンした位置が移動すれば、この移動にともなって該当するポインタを移動させる（ステップ５３０）。また、タッチダウン中にキーボード領域１５１のキーが押下されれば（ステップ５４０）、図１０のキー入力フローに移行する（ステップ５５０）
また、図９は、クリックボタン１０３とタップ操作の併用の動作フローを示したものである。この実施の形態では、タップ操作とクリックボタン１０３による操作を兼用した実施の形態を示している。なお、前記図８の動作と同じフローは同一符号を持って示している。
【００５８】
図９において、電源がＯＮ状態において、前記クリックボタン１０３が押下されると（ステップ５０１）、ポインタが表示されている座標位置にクリックイベントを発生させる（ステップ５０２）。例えば、ポインタが表示されている位置に選択ボタンが表示されていれば、この選択ボタンを選択したと判定して、この選択ボタンに設定された動作を実行する。なお、このステップ５０１において、ポンタの表示位置に選択すべきイベントがなければ、この操作をキャンセルして動作させない。
【００５９】
また、タッチオフの状態では、ビームセンサ４０１は、常に、指先などがタッチダウンされて、赤外線が遮蔽されたか否かを監視している（ステップ５１０）。この状態からタッチダウンが行われると（ステップ５１０）、図８と同様に、リフトオフまでの経過時間のカウントを開始し、リフトオフがなされると（ステップ５６０）、前記ステップ５７０、５８０、５９０へ移行する。
【００６０】
そして、前記タッチダウンの状態からタッチダウンの位置が移動すれば（ステップ５３０）の動作を行い、キーが押下されればステップ５４０、５５０の動作を行う。ここで、タッチダウン中にクリックボタンが押下されると（ステップ）５５２へ移行して、該当するクリックイベントを発生させる。
【００６１】
なお、この実施の形態では、クリックボタンの操作とタップ操作を兼用するようにしているので、使用者の希望により両操作を選択的に使用することができる。もちろん、クリックボタンの操作とタップ操作を兼用する必要はなく、どちらか一方でもよい。例えば、図９の動作フローでは、ステップ５２０、５７０、５８０、５９０を削除することにより、クリックボタン１０３の操作専用とすることができる。
【００６２】
また、図１０は、キー入力５５０へ移行した状態の動作フローを示している。図１０において、スタート状態では、キーボード領域１５１の所定のキーが押下された状態である。この実施の形態では、キーボード領域１５１のキーが押下されると、タッチダウンによって表示されたポインタを非表示にする（ステップ６１０）とともに、タイマを起動させてキー入力が終了してからの経過時間（Ｔ２）をカウントする（ステップ６２０）。そして、該当するキーのキー入力のイベントを発生させる（ステップ６３０）、このタイマカウント状態では予め設定された経過時間（Ｃ２）が経過したかを監視し、この経過時間Ｃ２以内に次のキーが押下されたかを監視し（ステップ６８０）、次のキーが予め設定された経過時間以内に押下されると、ステップ６２０に移行して、タイマをリセットして、再びカウントを開始する（ステップ６２０）。
【００６３】
一方、前記予め設定された経過時間（Ｃ２）が経過すると、前記タイマ（Ｔ２）のカウントを停止し、リフトオフされている位置にポインタを表示する（ステップ６５０）。ここで、ステップ６４０において、タッチダウンの状態であれば、ポインタを表示させない。また、ステップ６６０において、次の操作がなされれば、ステップ６７０に移行させる。
【００６４】
次に、図１１おいて、ドラッグ・アンド・ドロップの両手操作について説明する。この実施の形態では、前記基本操作を応用することにより，ドラッグ中のオブジェクトを瞬間移動させることが可能となる．この実施の形態では、ドラッグを開始した後、再びタップするまではドロップしない。そこで，ドラッグしている指をある位置でリフトオフし、もう片方の手の指を表示領域２５１上の別の位置にタッチダウンすると、オブジェクトはその位置に瞬間移動する。よって、ドラッグを開始する指をオブジェクトに近づけると同時に、反対の手の指を到達目標の位置で待機させておくことで、ドラッグしたオブジェクトを目的の位置に瞬時に移動させることが可能である。
【００６５】
例えば、図１１の（ａ）図は、ドラッグ可能なオブジェクトが表示領域２５１の左上の位置Ｐ２に表示されている状態を示している。また（ｂ）図は、ドラッグ・アンド・ドロップして表示領域２５１の右下の位置Ｐ３にオブジェクトを移動させた状態を示している。
【００６６】
従来のマウスを使ったドラッグ・アンド・ドロップでは、マウスを使って、先ず、ポインタを前記オブジェクトの位置Ｐ２に移動させる。この際、移動前のオブジェクトの位置Ｐ２にポインタを移動させる際には、マウスを、操作卓上で何回か滑らせてポインタを表示位置Ｐ２に移動する必要がある。次に、位置Ｐ２のオブジェクトにポインタを合わせて、クリックボタンを押下して選択し、クリックボタンを押下した状態でマウスを操作卓上で何回か滑らせて、右下のオブジェクトの位置Ｐ２に移動させることができる。前記表示領域２５１にはポインタが常に表示されるので、ポインタ（オブジェクトを含む）の移動の軌跡が表示されることになる。
【００６７】
これに対し、この実施の形態では、表示領域２５１のオブジェクトの位置Ｐ２に対応するタッチ領域４００の位置を左手でタップした後、再びタッチダウンして一定時間経過すると、位置Ｐ２の前記オブジェクトをドラッグ状態にすることができる。この状態で、右手で移動すべき位置Ｐ３に対応するタッチ領域４００の位置をタップすることで、瞬時にオブジェクトを位置Ｐ３に移動させることができる。例えば、位置Ｐ２のオブジェクト上で左手のタップができない場合は、位置Ｐ２のオブジェクト近傍でタッチダウンして、表示されるポインタをオブジェクトＰ２に合わせ、この位置Ｐ２でタップをすれば微調整が可能である。同様に、ドロップする位置に精度が必要であれば、右手でドロップすべき位置Ｐ３の近傍にタッチダウンするとオブジェクトＰ３がタッチダウンした位置に移動表示されるので、タッチダウンした状態でドラッグして位置合わせを行い、確定すべき位置Ｐ３でタップすれば、そのタップした位置Ｐ３にオブジェクトが確定される。更に、タップの代わりにクリックボタン１０３を操作してもよい。
【００６８】
ここで、移動先でタップではなく、タッチダウンして、タップの所定の時間以上が経過した状態でリフトオフすると、この移動先に移動したオブジェクトは、選択状態のまま、この移動先で表示している。したがって、この選択状態で位置が固定されていないので、タッチ領域の他の位置でタッチダウンすると、瞬時にオブジェクトは他の位置に移動することとなる。
【００６９】
更に、従来例のように、移動の過程をポインタの表示で示すこともできる。例えば、オブジェクトを位置Ｐ２で選択状態にした後、再びこのオブジェクトにタッチダウンして、このまま移動させ、目的の移動位置Ｐ３までドラッグして、その位置でタップすればよい。
【００７０】
このように、従来のドラッグ・アンド・ドロップの操作は、オブジェクトの選択からドラッグしてドロップするまでの操作を一連の連続した動作としている。しかし、この実施の形態では、ドラッグ・アンド・ドロップの操作を、ドラッグ操作を省略することにより、時間と忍耐（クリックボタンを押しながら移動させる動作）が必要な動作を省略し、短時間に操作することができる。しかも、ドラッグ操作を省略することにより、ドラッグ・アンド・ドロップの操作を、「選択」と「ドロップ」の２つの操作に分割することができるので、両手でこの２つの操作を分担することができる。したがって、この実施の形態では、両手で操作することにより、キーボード領域をカバーするホームポジション姿勢を大きく変えることなく、タッチ領域４００と、これに対応付けるられる表示領域２５１を１対１で対応付けて操作することができる。もちろん、片手でも操作が可能であることはいうまでもない。
【００７１】
次に、図１２を参照して、この実施の形態の両手を使った他の応用操作を説明する。図１２は、表示領域２５１の右下に表示されるオブジェクト４０９の色を、表示領域２５１の左上に表示されるメニューウインドウ４１０から所定の色を選択して変更するプログラムソフトを示している。（ａ）図がオブジェクトを選択した状態を示し、（ｂ）図がメニューウインドウ４１０から色を選択して、オブジェクト４０９の色を変更した状態を示している。
【００７２】
通常のＧＵＩ画面において、前記オブジェクト４０９を選択した後、それに対するアクションをメニューウインドウ４１０から選ぶような場合にはポインタの移動量が大きくなる。例えば、このようなプログラムソフトを従来のマウスで操作すると、先ず、ポインタをオブジェクト４０９に移動させてクリックボタンを押下して選択状態とし、この状態でポインタを前記メニューウインドウ４１０に移動させて、選択すべき色の操作エリアを選択する必要がある。つまり、表示領域２５１の右下に表示されるオブジェクト４０９を選択した後に、ポインタを表示領域２５１の左上に表示される前記メニューウインドウ４１０に移動させなければならない。
【００７３】
ここで、表示領域２５１の右下に表示されるオブジェクト４０９の選択を右手で行い、表示領域２５１の左上に表示されるメニューウインドウ４１０の選択を左手で行うというように、両手で協調作業をすれば、指などを大きく移動させることなく、このような操作もわずかな時間で行うことができる。この実施の形態では、この協調作業が可能となる。
【００７４】
例えば、この実施の形態では、先ず、表示領域２５１の右下に表示される前記オブジェクト４０９に対応するタッチ領域４００を右手でタップし、次に、前記メニューウインドウ４１０（選択すべき色の操作エリア）に対応するタッチ領域４００を左手でタップすることで、前記オブジェクトの色を変更させることができる。つまり、この実施の形態によれば、ポインタの移動を省略することができるので、短時間に操作することができる。しかも、この実施の形態では、ポインタの移動が不要なのでタッチエリアを両手で操作することができるから、ホームポジション姿勢を大きく変更することなく、簡単に操作することができる。
（第２の実施の形態）
また、図１３から図１９は、第２の実施の形態に係るデスクトップタイプのキーボード分離タイプの情報処理装置１０（図１５参照）である。
【００７５】
先ず、図１３を参照して、この実施の形態に係る情報処理装置１０を説明する。図１３はこの実施の形態に係るポインティングデバイス付きキーボード７０１の外観図であり、（ａ）図はその外観斜視図、（ｂ）図はその分解斜視図である。図１３において、７０１はポインティングデバイス付きキーボード、７０２は赤外線枠、７０２ａはその上面、７０３はパームレスト、７０３ａはその上面、７０４はキー操作部、７０５は左クリックボタン、７０６は右クリックボタン、７０７は基台である。
【００７６】
この実施形態のポインティングデバイス付きキーボード７０１は、赤外線枠７０２、ポインティング操作やキー操作などをするときに手を置くためのパームレスト７０３及び各種キー（図示せず）からなるキー操作部７０４が設けられた基台７０７とが組み合わされた構成をなしている。
【００７７】
赤外線枠７０２とパームレスト７０３とは、これらの上面７０２ａ，７０３ａがほぼ同一平面状となるように、組み合わされており、これら赤外線枠７０２とパームレスト７０３との組み合わせ構造体の中に下側から基台７０７が嵌め込まれている。このように、赤外線枠７０２とパームレスト７０３と基台７０７とが組み合わされた状態では、基台７０７上のキー操作部７０４は、赤外線枠７０２の内側に配置されることになる。但し、このキー操作部７０４での各キーの上面が赤外線枠７０２の上面７０２ａよりも下方に位置するように、これらキーや各部の高さが設定される。
【００７８】
なお、赤外線枠７０２の上面７０２ａのパームレスト７０３側に左クリックボタン７０５、右クリックボタン７０６が設けられている。しかし、左クリックボタン７０５、右クリックボタン７０６の位置としては、この場所に限るものではない。
【００７９】
図１３（ａ）に示すように構成されたポインティングデバイス付きキーボード７０１では、例えば、右手の手の平部分をパームレスト７０３に乗せ、その指先で赤外線枠７０２の内側のキー操作部７０４や左クリックボタン７０５、右クリックボタン７０６を操作する。この場合、赤外線枠７０２の上面７０２ａとパームレスト７０３の上面７０３ａとをほぼ同一平面としているので、操作がし易いものとなっている。
【００８０】
次に、図１４を参照して、この実施の形態に係る情報処理装置１０の赤外線タッチパネルの具体的な構造を説明する。この実施の形態で採用する赤外線タッチパネルは前記第１の実施の形態で採用した３点測量の原理で位置検知をするビームセンサ４０１でも可能であるが、この実施の形態では、赤外線枠７０２に赤外線が格子状に張られているものを採用している。図１４は、この実施の形態に係るポインティングデバイスでの赤外線枠７０２内の赤外線について説明するための図であり、（ａ）図が上面図、（ｂ）図が（ａ）図の分断線Ａ−Ａに沿う断面図である。ここで、７０２ｂ〜７０２ｅは内側面部、７０２ｆは窪み部、７０８は赤外線ビーム、７０８ａは赤外線格子、４００はタッチ領域、７１０は赤外線の発信部、７１１は赤外線の受信部である。ここで、前記ビームセンサ４０１ａは、前記発信部７１０と受信部７１１及び図示しないポインテング処理部４０６ａとから構成される。また、図１に対応する部分には同一符号をつけている。
【００８１】
図１４において、赤外線枠７０２の内側には、縦横に夫々複数の赤外線が通っており、指先がこれら赤外線を切るようなタッチダウンの操作で、この指先の位置を検出できるようにしたビームセンサ４０１ａが構成されている。赤外線枠７０２の対向する２つの内側面部７０２ｂ，７０２ｃの一方、ここでは、内側面部７０２ｂにその一方の端から他方の端まで複数の赤外線発光器が一定の間隔で配列された前記発信部７１０が配置され、また、内側面部７０２ｂ，７０２ｃの他方、ここでは、内側面部７０２ｃにその一方の端から他方の端まで、しかも、内側面部７０２ｂに配置された夫々の赤外線発光器と一対一に対向するようにして、一定の間隔で配置される複数の赤外線受光器から構成される受信部７１１が配置される。
【００８２】
赤外線枠７０２の対向する他の２つの内側面部７０２ｄ、７０２ｅについても同様であって、例えば、内側面部７０２ｄに、内側面部７０２ｂと同様にして、複数の赤外線発光器が配置された発信部７１０が配置され、内側面部７０２ｅに、内側面部７０２ｃと同様にして、複数の赤外線受光器から構成される受信部７１１が配置されている。
【００８３】
内側面部７０２ｂに設けられる前記発信部７１０の各赤外線発光器からは赤外線ビーム７０８が発光され、これらが内側面部７０２ｃで対応する赤外線受光器を備えた前記受信部７１１で受光される。同様にして、内側面部７０２ｄに設けられる前記発信部７１０の各赤外線発光器１０からは赤外線ビーム８が発光され、これらが内側面部７０２ｅで対応する赤外線受光器を備えた前記受信部７１１で受光される。
【００８４】
このため、内側面部７０２ｂに設けられる前記発信部７１０から発光される複数の赤外線ビーム７０８と、内側面部２ｄに設けられる前記発信部７１０から発光される複数の赤外線ビーム７０８とが互いに交差することになり、これにより、赤外線枠７０２の内側に格子状に配列される複数の赤外線格子７０８ａからなるタッチ領域４００が形成されている。かかる赤外線格子７０８ａが赤外線枠７０２の内側での位置を規定することになる。なお、この実施の形態では、赤外線枠７０２内で直交する２辺に約６ｍｍ間隔で赤外線発光部を配置している。
【００８５】
また、図１４（ｂ）図に示すように、基台７０７は赤外線枠７０２の下面側に設けられた窪み部７０２ｆに着脱可能に嵌め込まれ、このとき、基台７０７上のキー操作部７０４の各キー（図示せず）のキートップで構成されるキーボード領域１５１が赤外線格子７０８ａで構成されるタッチ領域４００よりも下方にあるよう設定される。
【００８６】
ここで，キー操作部７０４は，キートップから構成されるキーボード領域１５１が湾曲していない平らのものを用い、赤外線格子７０８ａで構成されるタッチ領域４００と前記キーボード領域１５１の距離（隙間）が常に一定に保たれるようにしてある。この実施の形態ではタッチ領域４００とキーボード領域１５１の距離は１ｍｍ以下に設定してあり、キーボード領域１５１に指が触れた時にビームセンサ４０１ａがその指を検知するようになっている。
【００８７】
なお、前記実施の形態では赤外線枠７０２の対向する辺に前記発信部７１０と前記受信部７１１を設けたが、赤外線枠７０２の隣り合う辺に前記発信部７１０と前記受信部７１１から構成される受発信部を設け、この受発信部が設けられる辺と対向する辺に反射板を設けることにより、配線を短くすることができる。
【００８８】
次に、図１５を参照して、この実施の形態に係る情報処理装置１０のシステム構成を説明する。図１５はポインティングデバイス付きキーボード７０１を用いた情報処理装置１０の概略システム構成図である。ここで、７１２はＰＣ本体、７１３はディスプレイ、７１３ａは表示画面、７１４はキーボード、２５１は表示領域である。
【００８９】
図１５において、前記キー操作部７０４と基台７０７（図１３、図１４）からなるキーボード７１４は、ＰＣ本体７１２のキーボード端子に接続され、また、前記赤外線枠７０２は、ＰＣ本体７１２のＵＳＢ端子，マウス端子，ＲＳ−２３２Ｃ端子のいずれかに接続される。なお、キーボード７１４からのコードと赤外線枠７０２からのコードとをまとめてＰＣ本体７１２の１つの端子、例えば、ＵＳＢ端子、もしくはＲＳ−２３２Ｃ端子に接続するようにしてもよい。
【００９０】
なお、この実施の形態では、キーボード７０１をＰＳ／２で、赤外線枠７０２をＲＳ−２３２ＣでＰＣ本体７１２に接続している。また、この赤外線枠７０２の枠内のサイズおよび縦横比は、１５インチのディスプレイ７１３の表示領域２５１と同等になっており，１５インチのディスプレイ７１３を用いた場合，赤外線枠７０２枠内の点と表示領域２５１上の点の座標をほぼ完全に一致させることができる。
【００９１】
この実施の形態に係る前記ポインティングデバイス付きキーボード７０１によれば、赤外線枠７０２のタッチ領域４００内に指先を差し込んでタッチダウンすると、このタッチダウンした位置で縦、横方向の赤外線が遮られ、これによってタッチダウンした位置に対応して配置される前記受信部７１１のＸ、Ｙ方向の赤外線受光器が赤外線を受光しなくなる。この実施の形態では、図示しないポインテング処理部４０６ａが前記受信部７１１から得られるＸ方向とＹ方向の位置から、タッチダウンした座標を検出し、前記ＰＣ本体７１２に出力する。このＰＣ本体７１２は、タッチ領域４００検出されたタッチダウンした座標情報と、表示領域２５１に表示される画像データとを対応付けて、ポインタを表示領域２５１に表示する。
【００９２】
図１６に示す実施の形態は、テンキーや文字入力キーが配列されたキー操作部７０４を基台７０７に備えたキーボード７１４に、赤外線枠７０２を組み合わせたポインティングデバイス付きキーボード７０１の実施の形態である。この実施の形態では、キーボード７１４が長手方向に多くのキーを配列しているために、赤外線枠７０２の内側をタッチ領域４００に設定するとディスプレイ７１３の横幅と合わなくなってしまう。
【００９３】
そこで、この実施の形態では、赤外線枠７０２の内側の一部をタッチ領域４００として設定する。この実施の形態では、このタッチ領域４００の範囲を使用者に認識させるために、キーボード７１４の上面に、タッチ領域指示枠４００ａを模様や指示線などで表記する。このタッチ領域指示枠４００ａ内が赤外線格子７０８で構成されるタッチ領域４００となる。
【００９４】
このように、設定すれば、各種キーが配列されたフルキーボードを赤外線枠７０２と組み合わせることでポインティングデバイス付きキーボード７０１にすることができる。このように、赤外線枠７０２内の全ての領域をタッチ領域４００に対応付けるのではなく、その一部のみをタッチ領域４００に対応付け、残りの部分に機能を割り当てることができる。例えば、赤外線枠７０２内の特定の位置に、頻繁に使用するファンクションボタンを割り当てることや、トラックパッドでよく使われているように、赤外線枠７０２枠の右端を縦スクロールエリアに、下端を横スクロールエリアに割り当てることもできる。
【００９５】
この実施形態では、前記第１の実施の形態と同様に、タッチ領域４００内で指などでタッチダウンすると、このタッチダウンした位置が検出され、この位置がポインタの表示位置となる。これを図１６により更に説明する。ここで、７１５はポインタ、７１６は指先、７１７はタッチ領域４００、であって、図３に対応する部分には同一符号をつけている。
【００９６】
図１６において、この実施の形態では、タッチ領域指示枠４００ａのみがタッチ領域４００として設定される。このタッチ領域指示枠４００ａは、キーボード１４上にこのタッチ領域指示枠４００ａを描くようにしてもよいし、また、このキーボード１４のタッチ領域指示枠４００ａ内を所定の色で着色しておくようにしてもよく、要するにタッチ領域指示枠４００ａが明らかになるような手段を講じる。なお、この場合には、このタッチ領域指示枠４００ａ内で縦横端から端まで赤外線ビーム７０８を通るようにすればよく、従って、このタッチ領域指示枠４００ａ外となるような赤外線ビーム７０８を設ける必要はないことは勿論である。
【００９７】
この実施の形態によれば、第１の実施の形態と同様な操作が可能である。ここでは、基本的な操作を説明し、重複した説明を省略する。
（ポインタの表示とドラッグ操作（単純な移動））
例えば、タッチ領域４００にタッチダウンが行なわれないと、ＰＣ本体７１２は直前にリフトオフされた位置にポインタ７１４を表示させている。この状態から、このタッチ領域４００内の位置ｐ５を指先１６でタッチダウンすると、ＰＣ本体７１２（図１５参照）はこの位置ｐ５をタッチダウンした位置として検出し、ディスプレイ７１３の表示画面７１３ａ（表示領域２５１）上の前記位置ｐ５に対応する位置Ｐ５にポインタ７１４を移動させる。そして、かかる状態（タッチダウンしたまま）で指先７１６をタッチ領域４００内の位置ｐ６に移動させると、ＰＣ本体７１２（図１５参照）は前記位置ｐ５から位置ｐ６の移動の過程をトレスして検出し、ディスプレイ１３の表示画面７１３ａ（表示領域２５１）上の位置Ｐ６にポインタ７１４を移動表示させる。この位置ｐ６上で、リフトオフすると、ポインタ７１４はそのままの位置Ｐ６で表示される。
【００９８】
このようにして、この実施形態では、第１の実施の形態と同様に、タッチ領域４００内で、単に指先７１６を差し込むだけで、ポインタ７１４の表示位置を指示することができ、かかる指示が行なわれると、表示画面１３ａ（表示領域２５１）では、この指示位置に対応する位置にポインタ７１４が表示されることになる。従って、操作がし易い上に、素速いポインティング操作が可能であるし、また、かかる指示作業では、指先７１６に力が加わることがないため、長時間の操作作業においても、指先が疲れたり、痛んだりすることがない。
【００９９】
また、上記の説明では、タッチ領域４００上の位置と表示画面７１３ａ上での位置を一対一に対応させ、表示画面７１３ａに表示されるポインタ７１４の位置とタッチ領域４００上で指示する位置とを一致させるようにしている。しかし、キーボード領域１５１と表示画面７１３ａとを一致させることが困難な場合、例えば、キーボード領域１５１に比べて表示画面７１３ａが大きな場合などは、２つの座標位置を必ずしも一致させる必要はない。
【０１００】
例えば、タッチ領域４００で検知されるタッチダウンした指などの移動距離や方向、速度などを検知し、これに応じて表示画面７１３ａ上に表示されるポインタ７１４の相対的な動きを制御するようにしてもよい。その一例としては、タッチ領域４００でのタッチ領域４００で検知されるタッチダウンした指などの移動速度が大きいほど、表示画面７１３上でのポインタ７１４の動きを大きく移動させるようにする。このようにすれば、ホームポジション姿勢を大きく変えることなくポインテイング操作とキー入力操作を行なうことができる。
【０１０１】
次に、図１７を参照して、タッチ領域指示枠４００ａと表示画面７１３ａ（表示領域２５１）との関係を説明する。図１７はタッチ領域指示枠４００ａの他の応用例を説明するポインティングデバイス付きキーボード７０１の上面図である。図１７において、タッチ領域指示枠４００ａとしては、図１７（ａ）に示すように、ディスプレイ７１３での表示画面７１３ａの縦横比に等しい縦横比の領域としてもよいし、図１７（ｂ）に示すように、この縦横比よりも横方向に長い領域としてもよい。勿論、横長の表示画面７１３ａに対しては、表示画面７１３ａの縦横比に等しい縦横比の領域とする場合、図１７（ｂ）に示すように、タッチ領域４００は横長となる。
【０１０２】
このように、この実施の形態では、タッチ領域指示枠４００ａを大きな設計変更をすることなく比較的自由に設定・変更することができるので、汎用性に優れている。
【０１０３】
次に、図１８を参照して、スクロール操作領域について説明する。図１８は、ポインティングデバイス付きキーボード７０１の上面図である。上記の説明では、タッチ領域指示枠４００ａは、ポインタ７１４（図１６参照）の表示位置を直接指定するものであったが、表示画面７１３ａをスクロールさせるようにした操作領域（スクロール操作領域）を設けることもできる。その一例を図１８で示す。
【０１０４】
この場合のスクロール操作領域７１８は、表示画面７１３ａ（図１５参照）での画面全体やアクティブなウインドウ（以下、単に画面という）を横方向左右にスクロールさせるための横方向に細長い操作領域７１８ａと縦方向上下にスクロールさせるための縦方向に細長い操作領域７１８ｂとからなり、夫々の操作領域７１８ａ、７１８ｂの端部にその移動方向を示す矢印のマークが付されている。かかるスクロール操作領域７１８は、例えば、キーボード７１４での機能キーが配置されている領域内のキーの間などに設けられるが、これに必ずしも限定されるものではない。また、これら操作領域７１８ａ、７１８ｂは、色付けされて明確にわかるようにする。
【０１０５】
かかるスクロール操作領域７１８において、操作領域７１８ａでは、１以上の横方向の赤外線と複数の縦方向の赤外線とが通っており（なお、この横方向の赤外線は必ずしも必要とするものではない）、また、操作領域７１８ｂでは、１以上の縦方向の赤外線と複数の横方向に赤外線とが通っている（なお、この縦方向の赤外線は必ずしも必要とするものではない）。
【０１０６】
そして、操作領域７１８ａでそこでの赤外線を切るようにして指先を右方向あるいは左方向に繰り返し移動させると（これを以下、タッチ移動という）、そのタッチ移動とともに画面が右方向または左方向にスクロールし、また、操作領域７１８ａで指先を右方向あるいは左方向に繰り返しタツチ移動させると、その操作とともに画面が右方向または左方向にスクロールする。このようにして、表示画面７１３ａ上で画面がスクロールする。なお、指先の移動速度に応じて、画面のスクロール速度が異なることになり、この移動速度が速ければ速いほど画面が速い速度でスクロールする。
【０１０７】
なお、このように指先をタッチ移動させる代わりに、操作領域７１８ａ、７１８ｂでの矢印のマーク部分をタッチすることにより、その矢印で示す方向にスクロールが行なわれるようにすることもできる。
【０１０８】
このようにして、かかるスクロール操作領域７１８により、指先が特に操作部材に触れることなく、画面をスクロールさせることができ、従って、かかるスクロール操作を長時間行なっても、指先に負担がかかるものではないから、指先が疲れたり、痛んだりすることがない。
【０１０９】
なお、この実施形態では、図１３に示すように、赤外線枠７０２の上面７０２ａに左右のクリックボタン７０５、７０６を設けたが、左クリックに関しては、左クリックボタン７０５を設ける代わりに、図１６に示すようなタッチ領域４００でのタッチ領域指示枠４００ａ外の領域（ここでも、少なくとも横方向の赤外線が通っている）で、その赤外線を切るように、指先でタップすることで左クリックとするようにすることもできる。
（ポインタの非表示）
ところで、第１の実施の形態では、キーボード１５０でのキー入力の際にキーボード領域１５１が操作されると所定時間ポインタを非表示とすることで、キー操作状態におけるポインタの目まぐるしく動くのを防止したが、以下に他の方法を説明する。
（遮蔽面積（本数）で判定）
▲１▼指先がタッチする赤外線格子７０８ａ（図１４参照）の数に応じてポインティング操作か否かを判定する方法：
ポインティング操作をするときには、図７（ｂ）図のｂ２に示すように、指先の先端部がタッチ領域４００に入り込むので、指先はせいぜい縦方向の赤外線ビーム７０８と横方向の赤外線ビーム７０８とを１本ずつ遮断し、１つの赤外線格子でその指先の位置が検出されるが、図７（ｂ）図のｂ３に示すように、指先がキーを押下するときには、指先がかなりタッチ領域４００内には入り込んでおり、縦、横方向の赤外線ビーム７０８が夫々複数本ずつ指先で遮断される。そこで、この方法は、指先によってタッチされる赤外線格子７０８ａが１つの場合には、ポインティング操作と判定し、複数の場合には、キー入力の操作と判定する。なお、赤外線ビーム７０８の間隔が狭い場合には、ポインティング操作でも、複数本の赤外線を遮断する場合もあり、このような場合には、ポインティング操作と判定するための赤外線の最大本数を閾値として設定しておけばよい。
（ジェスチャによって判定）
▲２▼ジェスチャによって判定する方法：
図７（ｂ）図のｂ３に示すようにキー操作が行なわれると、ポインタが固定される、もしくは非表示状態となるようにする。これを解除するためには、所定のジェスチャを行なうようにする。例えば、同じキーを複数回高速に繰り返し操作したり、キーボード７１４のキーの間などのキーが設けられていない部分（この部分には、赤外線が通っている）に触れたりするなど、といったジェスチャを行なうことにより、固定されていたポインタが動くことができるようになり、あるいは消えていたポインタが表示されるようになる。
【０１１０】
なお、以上の▲１▼と▲２▼と先に説明した時間によって判定する方法を適宜組み合わせた方法もある。
【０１１１】
次に、図１９を参照して、ポインティングデバイス付きキーボード７０１をペンタブレットとして利用する実施の形態を説明する。図１９は、ペンタブレット使用時の説明図である。この実施形態では、赤外線枠７０２内のタッチ領域４００を用いてイラストなどの描画を行なうことを可能にすることができる。図１５において、情報処理装置１０を描画モードとし、図１７に示したようなタッチ領域指示枠４００ａ内でペンによって描画することにより、ディスプレイ７１３の表示画面７１３ａでイラストを描くことができる。この場合、図１９に示すように、タッチ領域指示枠４００ａ内にプラスチックなどからなる薄板７２１を嵌め込み、この薄板７２１上にペン７２０で描画するようにする。
【０１１２】
勿論、この薄板７２１は、赤外線枠７０２内に嵌め込まれたときには、図１４で示すような赤外線ビーム７０８の通り道よりも下方に位置するように、充分薄いものであり、また、赤外線枠７０２内に嵌め込まれた状態から取外しし易いように、例えば、その横幅を赤外線枠７０２よりも小さくする。この場合、この薄板７２１を赤外線枠７０２内の左端に押し付けたときに、図１７に示すようなタッチ領域４００と一致する領域をこの薄板７２１上に枠付けや色付けすることにより、この薄板７２１上での描画可能とする領域が明瞭にわかることになる。
【０１１３】
具体的には、指の代わりにペンサイズの棒（スタイラス）を持ち、キーボード面上をなぞればよい。この際に、キーボード面上に薄板７２１を敷くことで滑らかにペンを動かすことが可能になる。実際の使用方法としては，通常はキーボード＋ポインティングデバイスとして使用し，フリーハンドの描画が必要になった時のみ薄板７２１をかぶせてタブレットとして使用することが想定される。
【０１１４】
また、赤外線を格子状に並べるセンサを用いる場合には，描かれる線の滑らかさがその格子の大きさに依存し、滑らかな線が描けないが、第１の実施の形態で説明した三角測量方式の赤外線センサなどを用いることで滑らかな線を描くことが可能になる。
（第３の実施の形態）
次に、図２０を参照して、三角測量を利用した他の実施の形態を説明する。図２０は、はポインティングデバイス付きキーボードの他の実施形態の要部を示す図であり、（ａ）図は平面図、（ｂ）図は（ａ）図の分断線Ｂ−Ｂに沿う断面図である。ここで、７２２はレーザ発光・受光器、７２３は非可視のレーザビーム、７２４はレーザ光領域、７２５はレーザ光枠である。なお、第２の実施形態で説明した部分に対応する部分には、同一符号をつけて重複する説明は省略する。
【０１１５】
この実施形態は、物体までの距離を測定するためのレンジファインダなどに利用した“ｔｈｅ  ＡＣＭ  ＣＨＩ’９８  Ｃｏｎｆｅｒｅｎｃｅ”Ａｐｒｉｌ  ２１−２３Ｊ．Ｓｔｒｉｃｋｏｎ  ＆ａｍｐ；  Ｊ．Ｐａｒａｄｉｓｏによる論文“Ｔｒａｃｋｉｎｇ  Ｈａｎｄｓ  Ａｂｏｖｅ  Ｌａｒｇｅ  Ｉｎｔｅｒａｃｔｉｖｅ  Ｓｕｒｆａｃｅ  ｗｉｔｈ  ａ  Ｌｏｗ−Ｃｏｓｔ  Ｓｃａｎｎｉｎｇ  Ｌａｓｅｒ  Ｒａｎｇｅｆｉｎｄｅｒ”に記載の方法を利用したものである。
【０１１６】
図２０（ａ），（ｂ）において、レーザ光枠７２５は上記実施形態での赤外線枠７０２に対応するものであって、ここでは、赤外線ビームの代わりにレーザビームを用いるため、レーザ光枠７２５としている。
【０１１７】
レーザ光枠７２５の１つの角部、例えば、図示するように、左上角部に、発光器と受光器とからなるレーザ発光・受光器７２２が設けられている。このレーザ発光・受光器７２２は、非可視のレーザビーム７２３を発光し、反射されたこのレーザビーム７２３を受光するものであるが、ほぼ９０゜の範囲を往復回動することにより、レーザ光枠７２５内全体にわたってレーザビーム７２３の発光方向を変化させる。これにより、レーザ光枠７２５内のレーザ光領域７２４全体がこのレーザビーム７２３によって掃引されることになる。
【０１１８】
このレーザ光領域７２４内に指先やペン先などが差し込まれず、タッチ操作がなされていない状態では、レーザ発光・受光器７２２で発光されたレーザビーム７２３はレーザ光枠７２５の内壁面でほとんど吸収され、レーザ発光・受光器７２２で受光される反射レーザ光はほとんど検出されない。しかし、例えば、レーザ光領域７２４内の位置Ｌが指先やペン先などでタッチ操作されると、レーザ発光・受光器７２２で発光されたレーザビーム７２３がかかる指先やペン先などで反射され、比較的強い強度でこの反射レーザ光がレーザ発光・受光器７２２で受光される。これにより、タッチ操作がなされたことが検出される。そして、このときのレーザ発光・受光器７２２の回動角と発光したレーザ光と受光したレーザ光との位相差（即ち、時間差）とから、レーザ光領域７２４での位置Ｌを検出することができる。
【０１１９】
このようにして、この実施形態では、レーザ光領域７２４でのタッチ位置を検出することができるものであって、これ以外の構成や作用、効果については、先に説明した上記の実施形態と同様である。
【０１２０】
なお、以上の実施の形態の説明では、赤外線ビームや非可視のレーザビームを用いたものとしたが、これら以外の非可視のビームを用いることができることはいうまでもない。
（その他の応用例）
前記の実施の形態では、表示領域２５１とタッチ領域４００とを略同じ横幅で構成すると、ブラインド操作などが良好になると説明したが、表示領域２５１の背景にキーボードの画像を表示するなどの工夫を行うことで、表示領域２５１とタッチ領域４００の関係をより把握しやすくすることができる。このようにすると、例えば、表示領域２５１上で目的とするオブジェクトが背景のキーボード画像のＸキーに重なっていたとしたら，使用者はＸキーの上をタップすればそのオブジェクトを選択することができると把握できる。なお、背景にキーボードの画像を表示するときは、薄く表示することで、本来表示すべきオブジェクトの視認性を維持することができる。
【０１２１】
また、今までの説明では、入力デバイスとしてポインティングデバイス付きキーボードを単独で用いる方法について述べてきたが、これをマウスと併用する使い方もある。このキーボードは絶対座標を用いてポインティング位置の指定を行っているため、微小量の移動を制御することが難しい場合がある。そこで、そのような操作が必要とされる場合には、相対座標を用いるマウスなどのポインティングデバイスを利用することが有効である。つまり、通常は前記キーボードを用いてキー入力／ポインティング操作を行うが、微小な操作が要求されるときだけ補助的にマウスを用いるという使い方でもよい。
【０１２２】
【発明の効果】
本発明によれば、操作がし易い上に、素速いポインティング操作が可能であって、しかも、長時間使用しても、操作者の指先などに負担が掛らないようにすることができる。
【図面の簡単な説明】
【図１】第１の実施の形態に係る情報処理装置の外観図である。
【図２】第１の実施の形態に係る情報処理装置の装置ブロック図である。
【図３】第１の実施の形態に係る情報処理装置の概略断面図である。
【図４】第１の実施の形態に係る情報処理装置の概略断面図である。
【図５】第１の実施の形態に係る情報処理装置の概略断面図である。
【図６】第１の実施の形態に係る情報処理装置の操作姿勢を示す使用状態図である。
【図７】第１の実施の形態に係る情報処理装置の操作入力を行う使用状態図である。
【図８】第１の実施の形態に係る情報処理装置のタップ操作の動作フロー図である。
【図９】第１の実施の形態に係る情報処理装置の動作フロー図である。
【図１０】第１の実施の形態に係る情報処理装置の動作フロー図である。
【図１１】両手操作によるドラッグ・アンド・ドロップの操作説明図である。
【図１２】両手操作における協調作業を説明する動作説明図である。
【図１３】第２の実施の形態に係るポインティングデバイス付きキーボードの外観図である。
【図１４】第２の実施の形態に係るポインティングデバイス付きキーボードのポインティングデバイスの説明図である。
【図１５】第２の実施の形態に係る情報処理装置のシステム構成図である。
【図１６】第２の実施の形態に係る情報処理装置の操作説明図である。
【図１７】第２の実施の形態に係るポインティングデバイス付きキーボードの上面図である。
【図１８】第２の実施の形態に係るポインティングデバイス付きキーボードの上面図である。
【図１９】ペンタブレット使用時の説明図である。
【図２０】第３の実施の形態に係るポインティングデバイス付きキーボードの説明図である。
【符号の説明】
１…情報処理装置、１０…情報処理装置、１００…第１の筐体、１０１…第１の隠蔽面、１０２…パームレスト、１０３…クリックボタン、１０４…開口部、１０５…枠体、１０５ａ…手前側辺、１０５ｂ…両辺、１０５ｃ…対向辺、１０６…記憶装置、１０７…外部Ｉ／Ｆ、１０８…電源部、１０９…ＣＰＵ、１１０…内部装置群、１５０…キーボード、１５１…キーボード領域、
２００…第２の筐体、２０１…第２の隠蔽面、２５０…表示部、２５１…表示領域、
３００…連結部、４００…タッチ領域、４００ａ…タッチ領域指示枠、４０１…ビームセンサ、４０１ａ…ビームセンサ、４０２…発信部、４０３…受信部、４０４…受発信部、４０４ａ…発信窓、４０５…反射板、４０６…ポインテング処理部、４０６ａ…ポインテング処理部、４０７…ポインティング制御基板、４０８…影、４０９…オブジェクト、４１０…メニューウインドウ、７０１…ポインティングデバイス付きキーボード、７０２…赤外線枠、７０２ａ…赤外線枠上面、７０３…パームレスト、７０３ａ…パームレスト上面、７０４…キー操作部、７０５…左クリックボタン、７０６…右クリックボタン、７０７…基台、７０２ｂ〜７０２ｅ…内側面部７、７０２ｆ…窪み部、７０８…赤外線ビーム、７０８ａ…赤外線格子、７１０…赤外線の発信部７１０、７１１…赤外線の受信部、７１２…ＰＣ本体、７１３…ディスプレイ、７１３ａ…表示画面、７１４…キーボード、７２２…レーザ発光・受光器、７２３…非可視のレーザビーム、７２４…レーザ光領域、７２５…レーザ光枠。
【図１】
2004185258.tif 000003
【図２】
2004185258.tif 000004
【図３】
2004185258.tif 000005
【図４】
2004185258.tif 000006
【図５】
2004185258.tif 000007
【図６】
2004185258.tif 000008
【図７】
2004185258.tif 000009
【図８】
2004185258.tif 000010
【図９】
2004185258.tif 000011
【図１０】
2004185258.tif 000012
【図１１】
2004185258.tif 000013
【図１２】
2004185258.tif 000014
【図１３】
2004185258.tif 000015
【図１４】
2004185258.tif 000016
【図１５】
2004185258.tif 000017
【図１６】
2004185258.tif 000018
【図１７】
2004185258.tif 000019
【図１８】
2004185258.tif 000020
【図１９】
2004185258.tif 000021
【図２０】
2004185258.tif 000022